(57)【要約】  入力される音響信号を増幅して出力する音量操作装置（１）は、入力された音響信号を調整して増幅する音量調整部（５４、５５、５６）と、音量調整部（５４、５５、５６）により増幅された音響信号の出力音量レベルを検出する出力レベル検出部（７２）と、音量調整部または音量調整部の近傍に設けられ、出力レベル検出部（７２）により検出された出力音量レベルに応じて、異なる発光状態を表示する発光部（６７）と、を備える。
2019234861.tif 000002
【特許請求の範囲】
【請求項１】
入力される音響信号を増幅して出力する音量操作装置であって、
入力された音響信号の入力音量レベルを調整して増幅する音量調整部と、
前記音量調整部により増幅された音響信号の出力音量レベルを検出する出力レベル検出部と、
前記音量調整部または前記音量調整部の近傍に設けられ、前記出力レベル検出部により検出された出力音量レベルに応じて、異なる発光状態を表示する発光部と、
を備えていることを特徴とする音量操作装置。
【請求項２】
請求項１に記載の音量操作装置において、
異なる周波数帯域の音量レベルを操作する複数の音量調整部を備え、前記発光部は、それぞれの音量調整部または音量調整部の近傍に設けられていることを特徴とする音量操作装置。
【請求項３】
請求項１または請求項２に記載の音量操作装置において、
前記発光部は、通常は、異なる色相の発光色で発光し、前記出力レベル検出部により出力音量レベルが所定の基準音量レベルよりも小さいと検出されたら、前記発光部の発光状態を無彩色の発光状態に変更することを特徴とする音量操作装置。
【請求項４】
請求項１から請求項３のいずれか一項に記載の音量操作装置において、
操作部本体と、前記操作部本体とＭＩＤＩ（Musical Instrument Digital Interface）規格の回線を介して接続されるコンピュータとを備え、
前記コンピュータは、
前記出力レベル検出部と、
前記出力レベル検出により検出された出力音量レベルを、前記ＭＩＤＩ規格の回線を介して送信するＭＩＤＩ送信部とを備え、
前記操作部本体は、
前記発光部と、
前記ＭＩＤＩ送信部から前記ＭＩＤＩ規格の回線を介して送信された出力音量レベルを受信するＭＩＤＩ受信部と、
前記ＭＩＤＩ受信部で受信された出力音量レベルに基づいて、前記発光部の発光状態を制御する発光制御部とを備え、
ていることを特徴とする音量操作装置。
【請求項５】
請求項１から請求項４のいずれか一項に記載の音量操作装置において、
前記音量操作装置は、グラフィックイコライザーであることを特徴とする音量操作装置。
【発明の詳細な説明】
【技術分野】
【０００１】
本発明は、音量操作装置に関する。
【背景技術】
【０００２】
ＤＪパフォーマンスにおいては、操作者が、コントローラ、ミキサー等を操作することにより、再生中の楽曲を他の楽曲に繋いだり、ジョグダイヤル等を操作して、スクラッチ、早送り再生、逆転再生等のパフォーマンスを行ったりする。
ミキサー等の音量操作装置では、近年の技術開発に伴い、種々の機能が追加されており、ミキサーの各チャンネルに接続された音源の切り替え、各音源の音量調整のみならず、各チャンネルにおける低周波領域、中周波領域、および高周波領域における音量調整も行うイコライザーとしての機能も備えている。【０００３】
イコライザーにおける低、中、高周波領域における音量調整の状態を、操作者が確認することはＤＪパフォーマンス上重要であるが、ＤＪパフォーマンス等で用いられるミキサーには、操作用のボタン、つまみ等が数多く設けられているため、各周波数域の音量を示すレベルメータの表示領域を確保できないという課題がある。また、各周波数域の調整後の音量を示す表示器はなく、従来、調整後の音を聴いて判断するか、全周波数の音量を示すレベルメータを視認して、イコライザーを調整していた。【０００４】
このため、特許文献１には、利得設定値に応じて異なる発光色で発光するボリュームつまみを設けたオーディオアンプに関する技術が開示されている。
また、特許文献２には、音量スイッチの操作に応じて設定された音量を、所定時間だけ表示する技術が開示されている。
【先行技術文献】
【特許文献】
【０００５】
【特許文献１】特開２００５−１９８３５６号公報
【特許文献２】特開２００２−１１６７６１号公報
【発明の概要】
【発明が解決しようとする課題】
【０００６】
しかしながら、前記特許文献１に開示された技術では、利得設定値に応じた表示しか行っておらず、増幅後の出力音量レベルに応じた表示とはなっていないので、実際のＤＪのパフォーマンスにおける音量レベルに合わせた調整ができないという課題がある。
また、前記特許文献２に開示された技術では、利得設定値に基づく音量が設定された音量レベルよりも大きいか小さいかしか表示できないという課題がある。【０００７】
本発明の目的は、ＤＪパフォーマンス等で用いても、音量操作部によって設定に基づいて、出力される出力音量レベルを操作者が容易に視認することのできる省スペースの音量操作装置を提供することにある。
【課題を解決するための手段】
【０００８】
本発明の音量操作装置は、入力される音響信号を増幅して出力する音量操作装置であって、入力された音響信号の入力音量レベルを調整して増幅する音量調整部と、前記音量調整部により増幅された音響信号の出力音量レベルを検出する出力レベル検出部と、前記音量調整部または前記音量調整部の近傍に設けられ、前記出力レベル検出部により検出された出力音量レベルに応じて、異なる発光状態を表示する発光部と、を備えていることを特徴とする。
【図面の簡単な説明】
【０００９】
【図１】本発明の第１の実施の形態に係るＤＪミキサーの構造を示す上面図。
【図２Ａ】前記実施の形態における調整つまみの構造を示す上面図。
【図２Ｂ】前記実施の形態における調整つまみの構造を示す断面図。
【図３】前記実施の形態におけるＤＪミキサーの機能ブロック図。
【図４】前記実施の形態における作用を説明するためのフローチャート。
【図５Ａ】本発明の第２の実施の形態に係る調整つまみの構造を示す上面図。
【図５Ｂ】前記実施の形態における調整つまみの構造を示す断面図。
【図６Ａ】本発明の第３の実施の形態に係る調整つまみの構造を示す上面図。
【図６Ｂ】前記実施の形態における調整つまみの構造を示す断面図。
【図７Ａ】従来のグラフィックイコライザーによる表示画面を示す模式図。
【図７Ｂ】本発明の第４の実施の形態に係るグラフィックイコライザーを示す模式図。
【図８】本発明の第５の実施形態に係る音量操作装置の構造を示すブロック図。
【発明を実施するための形態】
【００１０】
［１］全体構成
以下、本発明の第１の実施の形態を図面に基づいて説明する。図１には、本発明の第１の実施の形態に係るＤＪミキサー１が示されている。ＤＪミキサー１には、図示を略したが、アナログプレーヤー、ＣＤプレーヤー、およびコンピュータ等の楽曲データを再生する楽曲再生装置や、ＤＪコントローラ等の楽曲操作装置が接続される。また、ＤＪミキサー１の出力側には、スピーカ等の音響装置が接続される。
【００１１】
音量操作装置としてのＤＪミキサー１は、楽曲再生装置、楽曲操作装置で再生された音響信号となる楽曲データが入力され、入力された楽曲データに対して、エフェクト処理行う。さらに、ＤＪミキサー１は、エフェクト処理を行った楽曲データの増幅処理を行った後、アナログ信号に変換した後、音響装置から音声を出力する。
ＤＪミキサー１は、マイク調整部２、エフェクト処理部３、マスター調整部４、およびイコライザー調整部５を備える。
【００１２】
マイク調整部２は、ＤＪミキサー１に接続されたマイク（図示略）の出力音量の調整を行ったり、エフェクト処理部３によるエフェクト処理の開始、停止を行ったり、ヘッドホンを接続して、操作者が、ＤＪミキサー１から出力される楽曲データの出力音量のモニターを行う。マイク調整部２は、ヘッドホン端子２１、ヘッドホン音量調整部２２、ミキシング調整部２３、マスターエフェクト切替部２４、マスターエフェクト量調整部２５、マイク切替部２６、マイクイコライザー調整部２７、およびマイク音量調整部２８を備える。
【００１３】
ヘッドホン端子２１には、ヘッドホンが接続され、ＤＪミキサー１の操作者は、ヘッドホンを介して各チャンネルから出力される楽曲データや、マスター調整部４から出力される最終的な楽曲データをモニターする。
ヘッドホン音量調整部２２は、ヘッドホンから出力される音量の調整を行う。
ミキシング調整部２３は、ＣＵＥボタンが押されているチャンネルの出力音量と、マスターチャンネルの出力音量とのヘッドホンから出力される音量のバランスを調整する。
【００１４】
マスターエフェクト切替部２４は、イコライザー調整部５に接続されるすべてのチャンネルから入力される楽曲データ全体に付与する効果を選択する。本実施の形態では、たとえば、ノイズ、スイープ、クラッシュ等の効果を選択することができる。
マスターエフェクト量調整部２５は、マスターエフェクト切替部２４で選択された効果の効果付与量、効果の深さを調整する。
【００１５】
マイク切替部２６は、ＤＪミキサー１に接続されたマイクのオンオフを切り替える。マイクイコライザー調整部２７は、マイクから出力される音響データの出力音量を、周波数に応じて調整する。
マイク音量調整部２８は、マイクから出力される音響データの出力音量を調整する。
【００１６】
エフェクト処理部３は、入力された楽曲データに対してエフェクト処理を行う。エフェクト処理部３は、エフェクト切替部３１、チャンネル切替部３２、エフェクト時間設定部３３、エフェクト量調整部３４、倍率設定部３５、および表示部３６を備える。
【００１７】
エフェクト切替部３１は、楽曲データに付与する効果を選択するスイッチである。これを操作することにより、たとえば、エコー、ディレー、リバーブ、フランジャー等のエフェクト処理を選択することができる。
チャンネル切替部３２は、イコライザー調整部５に設けられた複数のチャンネルのうち、どのチャンネルに入力した楽曲データに効果を付与するかを選択する。
エフェクト時間設定部３３は、エフェクト切替部３１で選択された効果の楽曲データに付与する時間を設定する。
エフェクト量調整部３４は、エフェクト切替部３１で選択された効果の効果付与量、効果の深さを調整する。
【００１８】
倍率設定部３５は、入力された楽曲データのＢＰＭに基づいて、効果を付与するタイミングを同期させる拍の倍率を設定する。倍率設定部３５は、たとえば、楽曲データのＢＰＭの１拍、２拍、１／２拍、１／４拍で同期させて、楽曲データに効果を付与させることができる。
表示部３６は、選択された効果や、入力された楽曲データのＢＰＭを表示して、操作者に視認させる。本実施の形態の場合、エフェクト切替部３１により選択された効果の名称、楽曲データのＢＰＭ、倍率設定部３５で設定された拍の倍率が表示される。
【００１９】
マスター調整部４は、ＤＪミキサー１から出力される効果付与、増幅された楽曲データ全体の調整を行う。マスター調整部４は、マスター音量調整部４１、レベルインジケータ４２、マスター音量バランス調整部４３、イコライザー切替部４４、チャンネルフェーダー切替部４５、およびクロスフェーダー切替部４６を備える。
【００２０】
マスター音量調整部４１は、ＤＪミキサー１から出力される楽曲データの全体の出力音量を調整する。
レベルインジケータ４２は、ＤＪミキサー１から出力される楽曲データの左右の出力音量を表示する。
チャンネルフェーダー切替部４５は、イコライザー調整部５のチャンネルを切り替えた際のカーブ特性を切り替える。たとえば、チャンネルフェーダー切替部４５では、チャンネルの変更に際して、変更前の音量を徐々に下げ、変更後のチャンネルの音量を徐々に上げたり、チャンネルをいきなり切り替えするカーブ特性を選択できる。
クロスフェーダー切替部４６は、後述するクロスフェーダー６０による切替を行った際のカーブ特性を切り替える。たとえば、クロスフェーダー切替部４６では、クロスフェーダー６０の切替操作に伴い、切替前と切替後をいきなり切り替えたり、切替前と切替後の間に両者を半分の音量で出力する切り替えを行ったりすることができる。
【００２１】
イコライザー調整部５は、ＤＪミキサーに接続された楽曲再生装置から入力される楽曲データを、チャンネル毎にイコライザー処理を行う。イコライザー調整部５は、４つのチャンネル１からチャンネル４を調整する第１調整部５Ａから第４調整部５Ｄを備える。
第１調整部５Ａから第４調整部５Ｄには、それぞれ楽曲再生装置、楽曲操作装置が接続され、第１調整部５Ａから第４調整部５Ｄのそれぞれについてイコライザー調整を行うことができる。第１調整部５Ａから第４調整部５Ｄのそれぞれは、入力切替部５１、入力チャンネル音量調整部５２、チャンネルレベルインジケータ５３、高周波域調整部５４、中周波域調整部５５、低周波域調整部５６、エフェクト調整部５７、出力チャンネル音量調整部５８、およびクロスフェーダー切替部５９を備える。また、イコライザー調整部５は、クロスフェーダー６０を備える。
【００２２】
入力切替部５１は、ＤＪミキサー１に接続される楽曲再生装置、楽曲操作装置の入力ソースの切り替えを行う。具体的には、入力切替部５１は、ＤＪミキサー１のフォノ端子に接続されたアナログプレーヤー、ライン端子に接続されたＣＤプレーヤー、ＵＳＢ端子に接続されたコンピュータ等の接続機器を切り替える。
入力チャンネル音量調整部５２は、入力切替部５１によって選択された接続機器の入力音量を調整する。
チャンネルレベルインジケータ５３は、入力された接続機器からの楽曲データの入力音量を表示する。
【００２３】
高周波域調整部５４は、入力される楽曲データの高周波域の音量を調整する。高周波域としては、たとえば、４６４９Ｈｚ以上の周波数の音量を調整する。
中周波域調整部５５は、入力される楽曲データの中周波域の音量を調整する。中周波域としては、たとえば、２８４Ｈｚを超え、４６４９Ｈｚ未満の周波数の音量を調整する。
低周波域調整部５６は、入力される楽曲データの低周波域の音量を調整する。低周波域としては、たとえば、２８４Ｈｚ以下の周波数の音量を調整する。
【００２４】
エフェクト調整部５７は、第１調整部５Ａから第４調整部５Ｄのそれぞれに設定された効果付与量、効果の深さを調整する。
出力チャンネル音量調整部５８は、第１調整部５Ａから第４調整部５Ｄのそれぞれから出力される出力音量を調整する。
クロスフェーダー切替部５９は、第１調整部５Ａから第４調整部５Ｄの出力先を、クロスフェーダー６０のＡ側（右側）か、Ｂ側（左側）かに切り替える。
クロスフェーダー６０は、Ａ側（右側）に切り替えられたチャンネルから出力される楽曲と、Ｂ側（左側）に切り替えられたチャンネルから出力される楽曲との切り替えを行う。
【００２５】
［２］発光部の詳細構成
前述した高周波域調整部５４、中周波域調整部５５、および低周波域調整部５６を構成する調整つまみ６は、それぞれの周波数域に応じた出力音量レベルに応じて、つまみの周りが異なる色で発光するようになっている。つまり、調整つまみ６は、それぞれが出力音量レベルに応じて、異なる発色をするグラフィックイコライザーとして機能する。
具体的には、図２Ａに示すように、高周波域調整部５４、中周波域調整部５５、および低周波域調整部５６の調整つまみ６は、操作つまみ本体６１、調整位置表示マーカー６２、およびつまみ基部６３を備える。
【００２６】
操作つまみ本体６１は、黒色のゴム等の不透光性材料から構成され、第１調整部５Ａから第４調整部５Ｄの筐体上に回転自在に保持される。
調整位置表示マーカー６２およびつまみ基部６３は、レンズ材料等の導光性材料から構成される。つまり、調整位置表示マーカー６２およびつまみ基部６３は、後述するＬＥＤ発光部６７が発光することにより、発光色に応じて、操作つまみ本体６１の周囲や、調整位置表示マーカー６２を発光させる導光体として機能する。
【００２７】
調整位置表示マーカー６２は、操作つまみ本体６１に形成された切欠部に挿入され、操作つまみ本体６１を回転させた際の調整量を操作者に視認させる。
つまみ基部６３は、操作つまみ本体６１の底部に設けられ、操作つまみ本体６１の回転に応じて回転するように指示されている。また、つまみ基部６３は、径方向外周端部が操作つまみ本体６１の外側に突出している。
【００２８】
つまみ基部６３の回転中心には、回転軸６４が設けられ、回転軸６４の先端は、回路基板６５上に設けられた回転抵抗器６６に接続される。回転抵抗器６６には、複数色に発光するＬＥＤ発光部６７が隣接して設けられている。
発光部となるＬＥＤ発光部６７は、赤色、緑色、青色を単独または組み合わせて発光することにより、さまざまな色に発光する。
【００２９】
［３］イコライザー調整部５の機能ブロック図
図３には、イコライザー調整部５を構成する第１調整部５Ａから第４調整部５Ｄの機能ブロック図が示されている。
ＤＪミキサー１を制御する制御部７は、図１に示す各種調整部の調整つまみの操作に応じて、入力された楽曲データの調整を行い、イコライザー調整部５の調整つまみの操作に応じて、ＬＥＤ発光部６７の発光制御も行う。制御部７は、増幅演算部７２、出力レベル検出部７３、および発光制御部７４を備える。
【００３０】
増幅演算部７２は、入力された音響信号の入力音量レベルを、高周波域調整部５４、中周波域調整部５５、および低周波域調整部５６により設定された増幅率により増幅して各周波数帯域に応じた出力音量レベルを生成する。なお、本実施の形態では、増幅率の演算は、人間の耳の音量感と似ているＲＭＳ（Root Mean Square）値に基づいて行う。なお、増幅率の演算は、ピーク値、ＶＵ値、ラウドネス値等の他の表示値に基づいて行ってもよい。
出力レベル検出部７３は、増幅演算部７２により増幅された、高周波域、中周波域、低周波域の出力音量レベルを検出する。
【００３１】
発光制御部７４は、出力レベル検出部７３により検出された出力音量レベルに基づいて高周波域、中周波域、および低周波域の発光状態を決定し、高周波域（Ｈｉｇｈ）のＬＥＤ発光部６７、中周波域（Ｍｉｄ）のＬＥＤ発光部６７、および低周波域（Ｌｏｗ）のＬＥＤ発光部６７のそれぞれに制御信号を出力する。
発光制御部７４は、たとえば、出力音量レベルが基準音量レベル−４８ｄＢの場合には、白色で発光させる、または発光させないと判定する。それ以外の場合には、異なる色相の発光色でＬＥＤ発光部６７を発光させると判定する。具体的には、発光制御部７４は、出力音量レベルが基準音量レベルの−４８ｄＢを超え、−２４ｄＢ以下の場合には、緑色で発光させると判定し、基準音量レベルの−２４ｄＢを超え、−３ｄＢ以下の場合には、オレンジ色で発光させると判定し、基準音量レベルの−３ｄＢを超える場合には、赤色で発光させると判定する。
【００３２】
［４］実施の形態の作用および効果
次に、本実施の形態の作用について、図４に示すフローチャートに基づいて説明する。なお、図４に示すフローチャートは、高周波域、中周波域、低周波域のそれぞれについて、並行して実行される。
増幅演算部７２は、高周波域調整部５４、中周波域調整部５５、および低周波域調整部５６のそれぞれで設定された増幅率に基づいて、それぞれの周波数帯域における出力音量レベルを生成する（手順Ｓ１）。
【００３３】
出力レベル検出部７３は、高周波域調整部５４、中周波域調整部５５、および低周波域調整部５６により増幅された楽曲データの出力音量レベルを検出する（手順Ｓ２）。
発光制御部７４は、出力音量レベルが基準音量レベルの−４８ｄＢを超えているか否かを判定する（手順Ｓ３）。出力音量レベルが基準音量レベルの−４８ｄＢを超えていない場合、発光制御部７４は、発光色を無彩色、たとえば白色に設定し、ＬＥＤ発光部６７に制御信号を出力する（手順Ｓ４）。
【００３４】
次に、発光制御部７４は、出力音量レベルが基準音量レベルの−２４ｄＢを超えているか否かを判定する（手順Ｓ５）。基準音量レベルの−２４ｄＢを超えていない場合、発光制御部７４は、発光色を緑色に設定し、ＬＥＤ発光部６７に制御信号を出力する（手順Ｓ６）。
さらに、発光制御部７４は、出力音量レベルが基準音量レベルの−３ｄＢを超えているか否かを判定する（手順Ｓ７）。基準音量レベルの−３ｄＢを超えていない場合、発光制御部７４は、発光色をオレンジ色に設定し、ＬＥＤ発光部６７に制御信号を出力する（手順Ｓ８）。
基準音量レベルの−３ｄＢを超えている場合、発光制御部７４は、発光色を赤色に設定し、ＬＥＤ発光部６７に制御信号を出力する（手順Ｓ９）。
【００３５】
以上のような本実施の形態によれば、以下の効果を奏する。
発光制御部７４が、出力レベル検出部７３により検出された出力音量レベルに基づいて、調整つまみ６のＬＥＤ発光部６７を所定の発光色で発光させている。したがって、操作者は、高周波域、中周波域、低周波域の出力音量レベルを視認しながら、ＤＪミキサー１の操作を行うことができる。
【００３６】
ＬＥＤ発光部６７が高周波域調整部５４、中周波域調整部５５、および低周波域調整部５６の調整つまみ６に設けられることにより、各周波数帯域の調整量を調整部５４、５５、５６の近傍で視認することができる。したがって、操作者は、各調整部５４、５５、５６の調整状態を発光色で確認できるため、操作性が良好な状態でＤＪパフォーマンスを行うことができる。
【００３７】
出力音量レベルが基準音量レベルの−４８ｄＢ以下で出力音量レベルがほぼ聴こえない音量レベルのときに、発光制御部７４が、ＬＥＤ発光部６７の発光色を無彩色に設定しているため、通常は、有彩色で点灯する他のＬＥＤ発光部６７との区別がつけやすく、操作者がイコライザー調整を行う際、操作者に入力がなかったり、高周波域調整部５４、中周波域調整部５５、および低周波域調整部５６の調整つまみ６を絞りきっていることを視認させやすい。
【００３８】
［５］第２の実施の形態
次に、本発明の第２の実施の形態について説明する。なお、以下の説明では、既に説明した部分と同一の部分等については、その説明を省略する。
前述した第１の実施の形態では、調整位置表示マーカー６２およびつまみ基部６３を透光性材料で形成し、ＬＥＤ発光部６７で発光した光を、調整位置表示マーカー６２およびつまみ基部６３に照射して、所望の発光色で発光させていた。
これに対して、本実施の形態では、図５Ａおよび図５Ｂに示すように、調整つまみ８の周囲に導光体８１が設けられ、ＬＥＤ発光部６７で発光した光を、導光体８１にも照射している点が相違する。
【００３９】
導光体８１は、イコライザー調整部５の第１調整部５Ａから第４調整部５Ｄの筐体に形成された調整つまみ７を取り付けるための孔に形成される。導光体８１は、リング状に形成された透光性材料から構成され、リングの内側には、下方に突出するリブが形成されている。導光体８１の装着に際しては、リブ先端を筐体の孔に嵌め込んだ後、調整つまみ８を取り付ける。
【００４０】
このような本実施の形態によっても、前述した作用および効果と同様の作用および効果を享受できる。
加えて、導光体８１が調整つまみ８の周囲に設けられているため、発光色を調整つまみ８の外側にも拡散できるため、操作者がより視認し易くなる。
【００４１】
［６］第３の実施の形態
次に、本発明の第３の実施の形態について説明する。
前述した第１の実施の形態では、調整位置表示マーカー６２およびつまみ基部６３を透光性材料で形成し、ＬＥＤ発光部６７で発光した光を、調整位置表示マーカー６２およびつまみ基部６３に照射して、所望の発光色で発光させていた。
【００４２】
これに対して、本実施の形態では、高周波域調整部５４、中周波域調整部５５、および低周波域調整部５６を構成する調整つまみ９の近傍に孔９１を形成している点が相違する。孔９１は、第１調整部５Ａから第４調整部５Ｄの筐体の内外を貫通するように形成される。孔９１の内側直下には、ＬＥＤ発光部６７が配置される。
このような本実施の形態によっても、前述した作用および効果と同様の作用および効果を享受できる。
【００４３】
［７］第４の実施の形態
次に、本発明の第４の実施の形態について説明する。
従来のグラフィックイコライザーにおいては、各周波数帯域における音量レベルの増幅率を視覚的に表示する場合、図７Ａに示すように、液晶表示装置等に周波数帯域に応じた増幅率をヒストグラムの形で表示することが行われていた。しかしながら、このような表示方法では、表示領域を大きくしなければならず、第１の実施の形態のＤＪミキサー１では、表示させる領域を確保することができないという課題がある。
【００４４】
そこで、本実施の形態では、図７Ｂに示すように、周波数帯域に応じて発光色の異なるＬＥＤ発光部６７を設け、各周波数帯域における音量レベルの増幅率に応じて、ＬＥＤ発光部６７を異なる色に発光させることとした。すなわち、本実施の形態では、ＬＥＤ発光部６７の発光色を変更することで、グラフィックイコライザーの表示部として機能させることとした。
これにより、狭い領域でグラフィックイコライザーとしての機能を担保させることができる。したがって、第１の実施の形態のＤＪミキサー１のように、表示領域が確保できない場合でも、周波数帯域ごとの音量レベルの増幅率を、操作者に視認させることができる。
【００４５】
［８］第５の実施の形態
次に、本発明の第５の実施の形態について説明する。
前述の第１の実施の形態では、ＤＪミキサー１の内部処理のみによって、ＬＥＤ発光部６７の発光制御を行っていた。
これに対して、本実施の形態では、図８に示すように、コンピュータ１０と、ＤＪミキサー１Ａとを備え、コンピュータ１０およびＤＪミキサー１がＭＩＤＩ（Musical Instrument Digital Interface）規格の回線となるＭＩＤＩケーブル１１を介して接続され、システム全体で本発明の機能を実現している点が相違する。
【００４６】
コンピュータ１０は、ＤＪミキサー１ＡからＭＩＤＩコードで出力された操作信号を、コンピュータ１０で処理可能な信号に変換して、各種の処理を行う。コンピュータ１０は、コンピュータ１０側で処理された結果をＭＩＤＩコードに変換して、ＤＪミキサー１Ａ側に出力し、ＤＪミキサー１Ａの制御処理を行う。このため、コンピュータ１０は、ＭＩＤＩデータ変換部１２、ＭＩＤＩ受信部１３、およびＭＩＤＩ送信部１４を備える。
【００４７】
また、コンピュータ１０は、高周波域調整部５４、中周波域調整部５５、および低周波域調整部５６を備える。高周波域調整部５４、中周波域調整部５５、および低周波域調整部５６は、コンピュータ１０内で再生される楽曲データ、または外部から入力される楽曲データの各周波数帯域における音量を調整するために設けられる。
操作者がＤＪミキサー１Ａの調整つまみを回して、所望の音量レベルに調整すると、ＤＪミキサー１Ａは、回転量をＭＩＤＩデータに変換してＭＩＤＩケーブル１１を介して送信する。
コンピュータ１０では、これをＭＩＤＩ受信部１３で受信するとともに、ＭＩＤＩデータ変換部１２でコンピュータ１０により処理可能なデータに変換する。変換結果は、高周波域調整部５４、中周波域調整部５５、および低周波域調整部５６に入力され、調整つまみに応じた増幅率に調整される。
【００４８】
さらに、コンピュータ１０は、入力レベル検出部７１、増幅演算部７２、および出力レベル検出部７３を備える。
入力レベル検出部７１は、楽曲データの入力音量レベルを、高周波域、中周波域、低周波域のそれぞれについて検出する。
増幅演算部７２は、入力された音響信号の入力音量レベルを、高周波域調整部５４、中周波域調整部５５、および低周波域調整部５６により設定された増幅率により増幅して各周波数帯域に応じた出力音量レベルを生成する。
【００４９】
出力レベル検出部７３は、増幅演算部７２により増幅された、高周波域、中周波域、低周波域の出力音量レベルを検出する。
出力レベル検出部７３により検出された結果は、ＭＩＤＩデータ変換部１２によってＭＩＤＩデータに変換され、ＭＩＤＩ送信部１４からＭＩＤＩケーブル１１を介して、ＤＪミキサー１Ａに送信される。
【００５０】
操作部本体となるＤＪミキサー１Ａは、エフェクト調整部５７、出力チャンネル音量調整部５８、発光制御部７４、およびＬＥＤ発光部６７に加え、ＭＩＤＩデータ変換部１５、ＭＩＤＩ受信部１６、およびＭＩＤＩ送信部１７を備える。
ＭＩＤＩデータ変換部１５は、受信したＭＩＤＩデータをＤＪミキサー１Ａで処理可能なデータに変換したり、ＤＪミキサー１Ａの操作結果をＭＩＤＩデータに変換して、ＭＩＤＩケーブル１１を介して、コンピュータ１０に送信する。
ＭＩＤＩ受信部１６は、コンピュータ１０から送信されたＭＩＤＩデータを受信し、ＭＩＤＩデータ変換部１５に出力する。
ＭＩＤＩ送信部１７は、たとえば、ＤＪミキサー１Ａの調整つまみの操作による回転量を、ＭＩＤＩケーブル１１を介して、コンピュータ１０に送信する。
【００５１】
コンピュータ１０の出力レベル検出部７３で検出された出力音量レベルは、ＭＩＤＩケーブル１１を介してＤＪミキサー１Ａに送信され、ＭＩＤＩ受信部１６で受信された後、ＭＩＤＩデータ変換部１５によって変換され、発光制御部７４に出力される。
発光制御部７４は、演算された高周波域、中周波域、および低周波域のそれぞれの出力音量レベルに基づいて、高周波域、中周波域、および低周波域のＬＥＤ発光部６７で発光させる発光色を制御信号としてＬＥＤ発光部６７に出力する。
このような本実施の形態によっても、前述と同様の作用および効果を享受できる。
【００５２】
［９］実施の形態の変形
なお、本発明は、前述した各実施の形態に限定されるものではなく、以下の変形をも含むものである。
前述の第１の実施の形態では、イコライザー調整部５を構成する高周波域調整部５４、中周波域調整部５５、低周波域調整部５６の音量調整を行う調整つまみ６に本発明を採用していたが、本発明はこれに限られない。たとえば、ＤＪミキサー１のマスター調整部４のマスター音量調整部４１の調整つまみに本発明を採用してもよい。
【００５３】
前述の第１の実施の形態では、回転式の調整つまみ６に本発明を採用していたが、本発明はこれに限られない。たとえば、スライド式のレバーからなる調整部に本発明を採用してもよい。
前述の第１の実施の形態では、ＬＥＤ発光部６７の発光色を変更することにより、増幅の度合いを操作者に視認させていたが、本発明はこれに限られない。たとえば、ＬＥＤ発光部を同一色で発光させ、増幅率が大きくなればなるほど、点滅間隔が短くなるようにしてもよい。
【００５４】
前述の第５の実施の形態では、ＤＪミキサー１Ａとコンピュータ１０がＭＩＤＩ規格に準拠した回線で接続されていたが、本発明はこれに限られない。他の規格に準拠した回線で接続したものであってもよい。
その他、本発明の実施の際の具体的な構造および形状等は、本発明の目的を達成できる範囲で他の構造等としてもよい。
【符号の説明】
【００５５】
１…ＤＪミキサー、１Ａ…ＤＪミキサー、２…マイク調整部、３…エフェクト処理部、４…マスター調整部、５…イコライザー調整部、５Ａ…第１調整部、５Ｄ…第４調整部、７…制御部、１０…コンピュータ、１１…ＭＩＤＩケーブル、１２…ＭＩＤＩデータ変換部、１３…ＭＩＤＩ受信部、１４…ＭＩＤＩ送信部、１５…ＭＩＤＩデータ変換部、１６…ＭＩＤＩ受信部、１７…ＭＩＤＩ送信部、２１…ヘッドホン端子、２２…ヘッドホン音量調整部、２３…ミキシング調整部、２４…マスターエフェクト切替部、２５…マスターエフェクト量調整部、２６…マイク切替部、２７…マイクイコライザー調整部、２８…マイク音量調整部、３１…エフェクト切替部、３２…チャンネル切替部、３３…エフェクト時間設定部、３４…エフェクト量調整部、３５…倍率設定部、３６…表示部、４１…マスター音量調整部、４２…レベルインジケータ、４３…マスター音量バランス調整部、４４…イコライザー切替部、４５…チャンネルフェーダー切替部、４６…クロスフェーダー切替部、５１…入力切替部、５２…入力チャンネル音量調整部、５３…チャンネルレベルインジケータ、５４…高周波域調整部、５５…中周波域調整部、５６…低周波域調整部、５７…エフェクト調整部、５８…出力チャンネル音量調整部、５９…クロスフェーダー切替部、６０…クロスフェーダー、６１…本体、６２…調整位置表示マーカー、６３…基部、６４…回転軸、６５…回路基板、６６…回転抵抗器、６７…ＬＥＤ発光部、７１…入力レベル検出部、７２…増幅演算部、７３…出力レベル検出部、７４…発光制御部、８１…導光体、９１…孔。
【図１】
2019234861.tif 000003
【図２Ａ】
2019234861.tif 000004
【図２Ｂ】
2019234861.tif 000005
【図３】
2019234861.tif 000006
【図４】
2019234861.tif 000007
【図５Ａ】
2019234861.tif 000008
【図５Ｂ】
2019234861.tif 000009
【図６Ａ】
2019234861.tif 000010
【図６Ｂ】
2019234861.tif 000011
【図７Ａ】
2019234861.tif 000012
【図７Ｂ】
2019234861.tif 000013
【図８】
2019234861.tif 000014
【国際調査報告】
2019234861.tif 000015
2019234861.tif 000016
2019234861.tif 000017
2019234861.tif 000018